(57)【要約】      （修正有）【課題】簡易な配管構造として安価に製造可能なシリンダーキャビネットを提供する。【解決手段】ボンベ１を収納するシリンダーキャビネット１０において、前記ボンベに装着する減圧弁２を固定するためのボード３０と、シリンダーキャビネット内に前記ボードを吊り下げるためシリンダーキャビネットの天井パネル１２に先端側が固定されたチェーン（吊り下げ部材３９）と、ボンベ１から減圧弁２を介してガス供給先にガスを供給するために設置されたガス供給配管４１と、ガス供給配管４１に装着された緊急遮断弁４０と、緊急遮断弁４０の開閉をカートリッジボンベ５１で制御する開閉制御部を備えた構成とする。【選択図】図１
0003194238.tif 000002
【実用新案登録請求の範囲】
【請求項１】
ボンベを収納するシリンダーキャビネットにおいて、
前記ボンベに装着する減圧弁を固定するためのボードと、
前記シリンダーキャビネット内に前記ボートを吊り下げる吊り下げ部材と
を備えたことを特徴とするシリンダーキャビネット。
【請求項２】
前記吊り下げ部材は、シリンダーキャビネット天井パネルに先端側が固定されたチェーンで形成する請求項１に記載のシリンダーキャビネット。
【請求項３】
前記ボードは前記減圧弁の後側突起部が貫通する固定用孔部を備えるとともに、前記後側突起部はねじ溝を備え、前記固定用孔部に前記後側突起部が貫通した状態で前記ねじ溝にナットを螺着させて固定する請求項１に記載のシリンダーキャビネット。
【請求項４】
前記ボンベから前記減圧弁を介してガス供給先にガスを供給するために設置されたガス供給配管と、
前記ガス供給配管に装着された緊急遮断弁と、
前記緊急遮断弁の開閉をカートリッジボンベで制御する開閉制御部と
を備えた請求項１に記載のシリンダーキャビネット。
【請求項５】
前記減圧弁は、ブロー弁を備えた構造である請求項３に記載のシリンダーキャビネット。
【請求項６】
前記開閉制御部のカートリッジボンベは、シリンダーキャビネット上面に設置された請求項３に記載のシリンダーキャビネット。
【考案の詳細な説明】
【技術分野】
【０００１】
本考案は、可燃性ガスなどが充填されたガスボンベを収容するためのシリンダーキャビネットに関する。
【背景技術】
【０００２】
ガスボンベ（シリンダー）からガスの供給を受ける場合、ガスボンベに減圧弁を直接取り付け、減圧されたガスを供給ラインへ流すことが行われている（オープンエア方式）。その一方、ガスボンベに充填されるガスが可燃性ガス（水素等）及び支燃性ガス（酵素等）である場合、高圧ガス保安法の規制の一つにより、漏えいガスが滞留しない構造下での使用が必要となる。そして、規定のシリンダーキャビネットにガスボンベ（シリンダー）を収納した場合は、漏えいガスが滞留しない構造下での使用とされる。
【０００３】
従来使用されている一般的なシリンダーキャビネット１０は、図８に示すように、正面に扉を備えた縦長の箱体で構成され、内部にガスボンベ１を収容するボンベ収納部２０と、ガスボンベ１から供給されるガスの減圧を行う減圧弁２と、減圧ガスの外部への供給を制御する制御配管３と、を備えている。減圧弁２及び制御配管３は、シリンダーキャビネット１０内の背面パネル１１に固定され、制御配管３から金属フレキシブル管４を介してガスボンベ１の取付口に接続されている。制御配管３には、ガスボンベ１のガスを外部へ供給開始するための元弁５、及び、ボンベ取り換えに際して減圧弁内に侵入した空気を放出させるためのブロー弁６が装着されている。
【０００４】
シリンダーキャビネット１０内のガス流路は、図７に示すように、ガスボンベ１、減圧弁２、元弁５、緊急遮断弁９を介してガス供給路が構成され、減圧弁２の高圧側及び低圧側にそれぞれブロー弁６を配してブロー側に接続するとともに、元弁５のガス供給先側に安全弁７を配することで、ガス供給ラインが高圧となる異常時に、ブロー側にガスが流れるようになっている。また、緊急遮断弁９には、弁制御機構８への弁開閉制御用ガスの供給の有無で、緊急時にガスボンベ１からのガスの供給が遮断されるようになっている。
【０００５】
制御配管３を備えたシリンダーキャビネット１０の小型化を図る構造としては、例えば、ボンベ収納部の形状を工夫してシリンダーキャビネットの設置面積を狭くする構造が開示されている（特許文献１参照）。
【先行技術文献】
【特許文献】
【０００６】
【特許文献１】特開２０００−２８０９８号公報
【考案の開示】
【考案が解決しようとする課題】
【０００７】
しかしながら、上述の構造によると、制御配管３がシリンダーキャビネット１０内の背面パネル１１に固定され、元弁５及びブロー弁６を備えているので配管構造が複雑化し、安価な装置とすることができないという課題があった。
また、緊急遮断弁９の開閉は外部から弁制御機構８に供給されるガスで行われるため、弁開閉制御用（弁動作用）ガスの供給設備が必要となり、構造が複雑化して安価な装置とすることができないという課題があった。
【０００８】
本考案は上記実情に鑑みて提案されたものであり、簡易な配管構造として安価に製造可能なシリンダーキャビネットを提供することを目的としている。
【課題を解決するための手段】
【０００９】
上記目的を達成するため請求項１に係る考案は、ボンベ（１）を収納するシリンダーキャビネット（１０）において、前記ボンベに装着する減圧弁（２）を固定するためのボード（３０）と、前記シリンダーキャビネット内に前記ボートを吊り下げる吊り下げ部材（３９）とを備えたことを特徴としている。
【００１０】
請求項２は、請求項１のシリンダーキャビネットにおいて、前記吊り下げ部材（３９）は、シリンダーキャビネットの天井パネル（１２）に先端側が固定されたチェーンで形成することを特徴としている。
【００１１】
請求項３は、請求項１のシリンダーキャビネットにおいて、前記ボード（３０）は前記減圧弁（２）の後側突起部（２Ａ）が貫通する固定用孔部（３２）を備えるとともに、前記後側突起部（２Ａ）はねじ溝を備え、前記固定用孔部（３２）に前記後側突起部（２Ａ）が貫通した状態で前記ねじ溝にナット（３３）を螺着させて固定することを特徴としている。
【００１２】
請求項４は、請求項１のシリンダーキャビネットにおいて、前記ボンベ（１）から前記減圧弁（２）を介してガス供給先にガスを供給するために設置されたガス供給配管（４１）と、前記ガス供給配管（４１）に装着された緊急遮断弁（４０）と、前記緊急遮断弁（４０）の開閉をカートリッジボンベ（５１）で制御する開閉制御部（５０）とを備えたことを特徴としている。
【００１３】
請求項５は、請求項４のシリンダーキャビネットにおいて、前記減圧弁（２）は、ブロー弁（２Ａ）を備えた構造であることを特徴としている。
【００１４】
請求項６は、請求項４のシリンダーキャビネットにおいて、前記開閉制御部（５０）のカートリッジボンベ（５１）は、シリンダーキャビネット上面に設置されたことを特徴としている。
【考案の効果】
【００１５】
請求項１によれば、吊り下げ部材（３９）により吊り下げられたボード（３０）に減圧弁（２）を固定するので、シリンダーキャビネットにおける背面パネルに減圧弁を設置する場合に比較して、配管構造を簡易化することができる。
【００１６】
請求項２によれば、吊り下げ部材（３９）をチェーンで形成することで、ボンベ（１）に対するボード（３０）の高さ位置の調整を容易に行うことができる。
【００１７】
請求項３によれば、後側突起部（２Ａ）に設けたねじ溝にナット（３３）を螺着することで、ボード（３０）に対して減圧弁（２）を確実に固定することができる。
【００１８】
請求項４によれば、緊急遮断弁（４０）の開閉を開閉制御部（５０）のカートリッジボンベ（５１）で制御するので、開閉制御用（弁動作用）ガスの供給設備が不必要となり、構造を簡易化することができる。
【００１９】
請求項５によれば、ブロー弁（２Ａ）を備えた減圧弁（２）を使用することで、配管構造を単純化することができる。
【００２０】
請求項６によれば、開閉制御部（５０）のカートリッジボンベ（５１）をシリンダーキャビネット上面に配置することで、カートリッジボンベ（５１）の取り換え作業を行い易くすることができる。
【図面の簡単な説明】
【００２１】
【図１】本考案の一実施形態に係るシリンダーキャビネットの正面扉を外した状態の正面説明図である。
【図２】シリンダーキャビネットの側面パネルを外した状態の側面説明図である。
【図３】シリンダーキャビネットの正面説明図である。
【図４】ボードの正面説明図である。
【図５】ボードに固定された減圧弁の連結状態を示す側面説明図である。
【図６】シリンダーキャビネット内の流路構成（配管ライン）を示す説明図である。
【図７】従来のシリンダーキャビネット内の流路構成（配管ライン）を示す説明図である。
【図８】従来のシリンダーキャビネットにおける正面扉を外した状態の正面説明図である。
【考案を実施するための形態】
【００２２】
本考案のシリンダーキャビネットの実施形態の一例について、図１〜図３を参照しながら説明する。
シリンダーキャビネット１０は、ガスボンベ１を収納するボンベ収納部２０と、ガスボンベ１に装着する減圧弁（圧力調整器）２を固定するボード３０と、シリンダーキャビネット内にボート３０を吊り下げるチェーン（吊り下げ部材）３９とを備えて構成されている。また、シリンダーキャビネット１０は、減圧弁２により減圧されたガスボンベ１からのガスを外部に供給するガス供給配管（供給ライン）４１を備え、ガス供給配管４１の途中に元弁兼緊急遮断弁４０が設けられ、開閉制御部５０により元弁兼緊急遮断弁４０の開閉制御で、外部へのガス供給を制御するようになっている。
【００２３】
ガス供給配管４１に設置された元弁兼緊急遮断弁４０は、シリンダーキャビネット１０の背面パネル１１に固定されている。この元弁兼緊急遮断弁４０は、ガスボンベ１のガスを外部へ供給するための元弁機能を有するとともに、後述する緊急スイッチの操作により、外部へのガス供給を遮断するよう閉弁できる構造となっている。
【００２４】
ボンベ収納部２０は、立てた状態のガスボンベ１を固定するための一対の枠体２１と、枠体間を連結する紐状体２２から構成されている。一対の枠体２１は、ガスボンベ１の側面で載置位置後ろ寄りに設けられ、ガスボンベ１の前面側の２か所で枠体２１，２１間を紐状体２２により連結することでガスボンベ１を固定する。
【００２５】
シリンダーキャビネット１０の正面には扉１３が開閉自在に設けられ、扉１３の上方位置には、シリンダーキャビネット１０内に設置された減圧弁２を臨む位置に窓１４が設けられ、窓１４に固定された透明ガラスを介して減圧弁２が見えるようになっている。また、扉１３の下方位置には、シリンダーキャビネット１０内に空気を流入させるため複数スリットから構成される流入口１５が設けられている。
【００２６】
シリンダーキャビネット１０の上面には、シリンダーキャビネット１０内に通じる排気ダクト１６が設けられている。排気ダクト１６内には、減圧弁２のブロー弁２Ａに接続された配管の先端部が位置し、ブロー弁２Ａを介して排出されるガスが排気ダクト１６に流れるようになっている。
また、排気ダクト１６の先端側にはファン（不図示）が設置され、シリンダーキャビネット１０の内部を負圧状態としている。
【００２７】
ボード３０は、図４に示すように、方形状の板体で構成され、横方向の２か所に折曲部を設けることで、突出面となる前面３０Ａと、前面３０Ａより奥側に位置する後面３０Ｂを有するとともに、後面３０Ｂ部分に左右方向に細長い把持用孔部３１が形成されている。また、後面３０Ｂには、減圧弁（圧力調整器）２の裏面側の突起部２Ｃが貫通する固定用孔部３２が形成され、図５に示すように、この固定用孔部３２を貫通する突起部２Ｃに形成されたねじ山にナット３３を螺着させることで、ボード３０に対して減圧弁（圧力調整器）２を固定するようになっている。
そして、減圧弁２の流出口側には継ぎ手３４を介して供給ラインの配管３５が接続され、配管３５が固定具３６によりボード３０の前面３０Ａに固定されている。
また、減圧弁２は、開弁操作により減圧弁２内のガスを排出するブロー弁２Ａ、及び、減圧側の圧力が所定値より上昇した場合に開弁する安全弁２Ｂを内部に備えた構造となっている。
【００２８】
ボード３０に固定された減圧弁２は、シリンダーキャビネット１０の天井パネル１２に先端側が固定されたチェーン（吊り下げ部材）３９で吊り下げられることで、所望の高さ位置に配置できるようになっている。その結果、ガスボンベ１の取付口近くに減圧弁２を配置することが可能となる。
【００２９】
すなわち、図６の配管ラインに示すように、開閉制御部５０は、カートリッジボンベ５１から減圧機構付プッシュバルブ５２を介して圧力が供給される制御ライン５３に弁制御機構１０が接続され、この弁制御機構８により元弁兼緊急遮断弁４０の開閉が制御される。制御ライン５３には、制御ライン５３に一方が接続され、他方が開放となるプッシュバルブ５４と、制御ライン５３の圧力をモニターする圧力計５５が接続されている。元弁兼緊急遮断弁４０は、弁制御機構１０に圧力が加わった状態で開弁し、圧力が遮断された状態で閉弁する機構となっている。各プッシュバルブ５２，５４は、スイッチ５２ａ，５４ａのプッシュ時に開状態となってその状態を維持する弁機構となっている。
【００３０】
カートリッジボンベ５１が設置された状態でプッシュバルブ５２のスイッチ（運転スイッチ）５２ａを押圧すると、制御ライン５３にカートリッジボンベ５１からの圧力がかかり、弁制御機構８に圧力が加わった状態となり、元弁兼緊急遮断弁４０が開弁し（元弁の開弁）、ガスボンベ１から減圧弁２で減圧されたガスが外部に供給される。
この状態でスイッチ（緊急スイッチ）５４ａが押圧されると、制御ライン５３内のガスはプッシュバルブ５４から排出ライン５６を介して外部へ排出され、弁制御機構８への高圧が遮断されて元弁兼緊急遮断弁４０が閉弁する（緊急遮断弁の閉弁）。
なお、カートリッジボンベ５１には、炭酸ガス等、外部へ排出しても無害なガスが充填されている。
【００３１】
したがって、カートリッジボンベ５１の噴出圧で弁の開閉が制御される開閉制御部５０により、元弁兼緊急遮断弁４０の開閉を制御することができる。
開閉制御部５０のカートリッジボンベ５１は、シリンダーキャビネット１０上面に設置されたケース６０内に配置されることで、シリンダーキャビネット１０の扉１３の開閉を行うことなく交換可能となっている。
また、ケース６０の前面には、運転スイッチ５２ａ及び緊急スイッチ５４ａが配置されるとともに、制御ライン５３の圧力を検出する圧力計５５、及び、シリンダーキャビネット１０内の負圧を検出する負圧計６１が設置されている。
【００３２】
上記した構造によれば、シリンダーキャビネット１０内において、吊り下げ部材３９により吊り下げられたボード３０に減圧弁２を固定するので、従来のシリンダーキャビネットにおける背面パネルに減圧弁等を設置する場合に比較して、配管構造を簡易化することができる。
また、減圧弁２がブロー弁２Ａ及び安全弁２Ｂを内部に備えているため、シリンダーキャビネット１０内での配管に際してブロー弁等を設置する必要がなく、配管構造を簡易化することができる。
【００３３】
元弁兼緊急遮断弁４０の開閉を開閉制御部５０のカートリッジボンベ５１で制御するので、緊急遮断弁の開閉制御用（弁動作用）ガスの供給設備が不必要となり、開閉制御の構造を簡易化することができる。その結果、シリンダーキャビネットの小型化及び低価格化を図ることができる。
【符号の説明】
【００３４】
１…ガスボンベ、  ２…減圧弁、  ３…制御配管、  ４…金属フレキシブル管、  ５…元弁、  ６…ブロー弁、  ７…安全弁、  ８…弁制御機構、  ９…緊急遮断弁、  １０…シリンダーキャビネット、  １１…背面パネル、  １２…天井パネル、  １３…扉、  １６…排気ダクト、  ２０…ボンベ収納部、  ２１…枠体、  ２２…紐状体、  ３０…ボード、  ３１…把持用孔部、  ３２…固定用孔部、  ３３…ナット、  ３９…チェーン（吊り下げ部材）、  ４０…元弁兼緊急遮断弁、  ４１…ガス供給配管（供給ライン）、  ５０…開閉制御部、  ５１…カートリッジボンベ、  ５２…減圧機構付プッシュバルブ、  ５２ａ…運転スイッチ、  ５３…制御ライン、  ５４…プッシュバルブ、  ５４ａ…緊急スイッチ、  ５６…排出ライン、  ６０…ケース。
【図１】
0003194238.tif 000003
【図２】
0003194238.tif 000004
【図３】
0003194238.tif 000005
【図４】
0003194238.tif 000006
【図５】
0003194238.tif 000007
【図６】
0003194238.tif 000008
【図７】
0003194238.tif 000009
【図８】
0003194238.tif 000010
【手続補正書】
【提出日】平成26年8月28日(2014.8.28)
【手続補正１】
【補正対象書類名】実用新案登録請求の範囲
【補正対象項目名】全文
【補正方法】変更
【補正の内容】
【実用新案登録請求の範囲】
【請求項１】
ボンベを収納するシリンダーキャビネットにおいて、
前記ボンベに装着する減圧弁を固定するためのボードと、
前記シリンダーキャビネット内に前記ボートを吊り下げる吊り下げ部材と
を備えたことを特徴とするシリンダーキャビネット。
【請求項２】
前記吊り下げ部材は、シリンダーキャビネット天井パネルに先端側が固定されたチェーンで形成する請求項１に記載のシリンダーキャビネット。
【請求項３】
前記ボードは前記減圧弁の後側突起部が貫通する固定用孔部を備えるとともに、前記後側突起部はねじ溝を備え、前記固定用孔部に前記後側突起部が貫通した状態で前記ねじ溝にナットを螺着させて固定する請求項１に記載のシリンダーキャビネット。
【請求項４】
前記ボンベから前記減圧弁を介してガス供給先にガスを供給するために設置されたガス供給配管と、
前記ガス供給配管に装着された緊急遮断弁と、
前記緊急遮断弁の開閉をカートリッジボンベで制御する開閉制御部と
を備えた請求項１に記載のシリンダーキャビネット。
【請求項５】
前記減圧弁は、ブロー弁を備えた構造である請求項４に記載のシリンダーキャビネット。
【請求項６】
前記開閉制御部のカートリッジボンベは、シリンダーキャビネット上面に設置された請求項４に記載のシリンダーキャビネット。